(57)【要約】【課題】採尿窓の位置が判りづらい老人や身体弱者等であっても、容易かつ迅速に、尿を採取でき、採尿の際、トイレ（便器）を、飛び散った尿で汚すことを防止できる採尿用容器を提供する。【解決手段】長手方向の中間領域に採尿窓５が開設されると共に一端開口状の筒状の容器本体１と、容器本体１が抜取り自在に挿入される外筒２と、容器本体１の開口端部１０に着脱自在に取着されて開口端部１０を密封するキャップ３とを、備えた採尿用容器に於て、容器本体１の採尿窓５は、周方向に複数配設されている。【選択図】図１
2018128292.tif 000002
【特許請求の範囲】
【請求項１】
長手方向の中間領域に採尿窓（５）が開設されると共に一端開口状の筒状の容器本体（１）と、上記容器本体（１）が抜取り自在に挿入される外筒（２）と、上記容器本体（１）の開口端部（１０）に着脱自在に取着されて上記開口端部（１０）を密封するキャップ（３）とを、備えた採尿用容器に於て、
上記容器本体（１）の上記採尿窓（５）は、周方向に複数配設されていることを特徴とする採尿用容器。
【請求項２】
複数の上記採尿窓（５）は、全て縦長形状であると共に、その内の１個は開口面積が最も大きい主採尿窓（６）であると共に、残りは上記主採尿窓（６）よりも開口面積の小さい副採尿窓（７）である請求項１記載の採尿用容器。
【請求項３】
複数の上記採尿窓（５）は、周方向に等ピッチにて配設され、かつ、略同一形状に設定されている請求項１記載の採尿用容器。
【請求項４】
複数の上記採尿窓（５）の一部乃至全部が、周方向に沿った補強用ブリッジ（８）を有している請求項１，２又は３記載の採尿用容器。
【請求項５】
複数の上記採尿窓（５）の少なくとも１個は、その周方向幅寸法（Ｗ）が、尿検査紙の幅寸法よりも大に設定されている請求項１，２，３又は４記載の採尿用容器。
【発明の詳細な説明】
【技術分野】
【０００１】
本発明は、採尿用容器に関する。
【背景技術】
【０００２】
一般に、病院や検査センタ等で実施されている尿検査のために、患者等が自分で尿を採取し収納する採尿用容器が、使用されている（特許文献１参照）。
特許文献１に記載された従来の採尿容器４０は、図２２に示すように、１個の大きな採尿窓４１が開設された容器本体（内筒）４２と、この容器本体４２を挿入可能なやや径の大きい外筒４３と、上記容器本体４２及び外筒４３の開口端部を密封状として着脱自在に取着されるキャップ４４とを具備している。
【０００３】
未使用組付状態では、容器本体（内筒）４２に外嵌されていた外筒４３を、一旦、取外して、その外筒４３を天地逆としてキャップ４４に差し（挿し）込むことによって、採尿用組付状態に切換わる。即ち、図２２（Ａ）に示すような採尿用組付状態として、外筒４３を手Ｍで把持して、自分の放尿Ｈの位置に、上記採尿窓４１が対応するように、保ちつつ、採尿窓４１から容器本体４２内へ尿を貯める。その後、外筒４３を取外し、再び天地逆として、外筒４３に容器本体４２を挿入し、キャップ４４に外筒４３の開口端部を密封状に取着すれば、内部の尿は、外部へ洩れず、そのような密封状２重筒構造にて、病院や検査センタ等へ（例えば）郵送して、尿検査を受けるのに使用される。
このような尿検査容器にそのまま兼用可能な採尿容器は、現在一般に使用されている。
【先行技術文献】
【特許文献】
【０００４】
【特許文献１】特開２０１５−４９２０２号公報
【発明の概要】
【発明が解決しようとする課題】
【０００５】
上述の特許文献１に記載したような従来の採尿容器４０（図２２参照）には、次のような問題がある。即ち、図２２（Ａ）に示すように、患者等が、採尿窓４１の位置を正確に、放尿Ｈされてくる手前方向へ向ければ尿を簡単に採取できるはずである。しかしながら、容器本体４２は、無色透明のプラスチックから成り、一見すると採尿窓４１が何処に在るか判りづらく、老人や眼の悪い身体弱者等では、その採尿窓４１の位置（向き）を確認するのに手間取ったり、場合によっては、図２２（Ｂ）に示す如く、採尿窓４１の無い背面４５に向けて放尿する虞れがあった。
【０００６】
図２２（Ｂ）に示すように尿が容器本体４２に収納されず、例えば、ある種の病気の検査のために、特に、朝の起床直後の尿を採取したいにかかわらず、それが不可能となって、精度の高い尿検査の機会を失う等の問題があった。また、図２２（Ｂ）に示すように、背面４５に衝突した尿は、トイレ（便器）に飛び散る等の問題もあった。
【課題を解決するための手段】
【０００７】
そこで、本発明は、長手方向の中間領域に採尿窓が開設されると共に一端開口状の筒状の容器本体と、上記容器本体が抜取り自在に挿入される外筒と、上記容器本体の開口端部に着脱自在に取着されて上記開口端部を密封するキャップとを、備えた採尿用容器に於て、上記容器本体の上記採尿窓は、周方向に複数配設されている構成とした。
また、複数の上記採尿窓は、全て縦長形状であると共に、その内の１個は開口面積が最も大きい主採尿窓であると共に、残りは上記主採尿窓よりも開口面積の小さい副採尿窓である。
また、複数の上記採尿窓は、周方向に等ピッチにて配設され、かつ、略同一形状に設定されている。
また、複数の上記採尿窓の一部乃至全部が、周方向に沿った補強用ブリッジを有している。
また、複数の上記採尿窓の少なくとも１個は、その周方向幅寸法が、尿検査紙の幅寸法よりも大に設定されている。
【発明の効果】
【０００８】
本発明の採尿用容器によれば、患者等が自分で簡単かつ確実に尿を採取できる。また、採尿窓の（周方向の）位置が判りづらい身体弱者等であっても、容易かつ迅速に、尿を採取できる。また、採尿の際、トイレ（便器）を、飛び散った尿で汚すことも防止できる。しかも、容器本体を、キャビティと（細杆状の）コアにて射出成形する際、複数個の採尿窓を形成する小突起をキャビティ内面に配設することによって、上記コアがキャビティ軸心に対して偏心しないようにサポートできて、成形品としての容器本体が、偏肉や反りの無い高品質のものとなり、生産性を向上でき、かつ、容器本体と外筒のスムーズな挿入及び抜取りが可能となり機能的にも向上するという利点がある。
【図面の簡単な説明】
【０００９】
【図１】本発明の実施の一形態を示す半截断面図である。
【図２】要部拡大断面図である。
【図３】採尿用組付状態の正面図である。
【図４】図３のａ−ａ拡大断面図である。
【図５】採尿使用状態の説明図であって、（Ａ）は斜視説明図、（Ｂ）は要部拡大して示した説明図である。
【図６】本発明の他の実施形態を示す要部斜視図である。
【図７】要部拡大断面図である。
【図８】別の実施形態を示す要部正面図である。
【図９】採尿使用状態の斜視説明図である。
【図１０】要部拡大断面図である。
【図１１】比較例を示す要部拡大断面図である。
【図１２】さらに別の実施形態を示す要部拡大断面図である。
【図１３】尿自動検査装置と方法を示す要部正面図である。
【図１４】キャップの要部の平面図である。
【図１５】キャップの要部の底面図である。
【図１６】図１４のｂ−ｂ，ｃ−ｃ拡大断面図である。
【図１７】図１５のｅ−ｅ拡大断面図である。
【図１８】変形例を示す拡大断面図である。
【図１９】図１４のｄ−ｄ拡大断面図である。
【図２０】作用説明のための拡大斜視図である。
【図２１】作用説明のために一部断面で示した要部拡大図である。
【図２２】従来の問題点を説明するための採尿使用状態の斜視図であって、（Ａ）は正しい使用状態を示す斜視図、（Ｂ）は誤った使用状態を示す斜視図である。
【発明を実施するための形態】
【００１０】
以下、図示の実施の形態に基づき本発明を詳説する。
図１〜図５は、本発明の実施の一形態を示す。
本発明の採尿用容器は、一端開口状の細長円筒状に形成された容器本体（内筒）１と、容器本体１が抜取り自在に挿入される外筒２と、容器本体１の開口端部１０に密封状として取着されるキャップ３とを、備えている。
容器本体１は、無色透明の合成樹脂（プラスチック）から成り、外筒２及びキャップ３は、透明乃至半透明の合成樹脂から成る。
【００１１】
容器本体１は、長手方向の中間領域に、採尿窓５が周方向に複数配設されている。
図３及び図４に示すように、複数の採尿窓５は、全てがアキシャル方向に縦長形状であると共に、その内の１個は開口面積が最も大きい主採尿窓６であり、残りは主採尿窓６よりも開口面積の小さい副採尿窓７である。なお、複数の採尿窓５の少なくとも１個（主採尿窓６）は、手作業での尿検査の際、尿検査紙が差し込めるように、その周方向幅寸法Ｗが、尿検査紙の幅寸法よりも大に設定されている。一般的に、尿検査紙は５ｍｍ幅であるため、主採尿窓６の周方向幅寸法Ｗは、５ｍｍより大きく設定される。
【００１２】
図１と図２に示すように、容器本体１は、開口端部１０の内面に、キャップ３の閉塞栓部３０が嵌り込む。開口端部１０の内面には、環状溝１１が形成されている。容器本体１は、開口端部１０近傍の外径が僅かに大きく形成され、この外径が僅かに大きい部位の外周面に低突部１４が形成されている。採尿窓５より開口端部１０寄りの外周面に、２本の小突起１２，１２が平行状に形成されている。図１０に示すように、採尿窓５より容器本体１の底部寄りの外周面に四角リブ２４が形成され、この四角リブ２４の僅か下方位置から外径が僅かに小さくなって、その外周面に、２本の小凸部１３，１３が形成されている。このように構成したことで、外筒２から容器本体１を引出す際、採尿窓５が外筒２から出たところで四角リブ２４が外筒２の開口端部２０の角部に係止し、採尿窓５に尿検査紙を挿入し易くなる利点がある。また、外筒２に容器本体１を挿入する際、２本の小凸部１３，１３が外筒２の内周面に圧接して止水が効き始める圧入摺動抵抗が、挿入完了前の２ｍｍ〜３ｍｍ手前で感知できて、取り扱いが容易となる。なお、四角リブ２４と外筒２の内周面は非接触状とし、四角リブ２４が摺動抵抗を生じないよう構成されている。
【００１３】
外筒２は、一端が開口され、他端が閉塞された細長円筒状に形成され、容器本体１を挿入及び抜取り自在に構成されている。外筒２は、開口端部２０に、やや径の大きい拡径部２１を有し、拡径部２１の内面に、容器本体１の周状低突部１４が嵌り込む環状溝部２２が形成されている。図１〜図３に示すように、外筒２は、開口端部２０近傍の外面に、長手方向（軸心方向）に沿って細長状のリブ２３が複数突設されている。複数のリブ２３は、周方向９０度ピッチに２本ずつ配設されている。図１３にあってはラック５０が背の低い場合を図示しているが、このラック５０の背が高い場合（図示省略）に、ラック５０の挿入孔径に対して、リブ２３を設けることにより、上記挿入孔径よりも僅かに小さい（包絡線の）外径として対応可能となって、採尿用容器ががたつかないで安定姿勢で保持される。
【００１４】
キャップ３は、容器本体１の開口端部１０の内部に圧接挿入及び抜取り可能な閉塞栓部３０と、外筒２の開口端部２０が差込まれる仮止め栓部３１とを、有している。
閉塞栓部３０は、底壁部を有する短円柱状に形成され、容器本体１に取着された状態で開口端部１０を密封状に閉鎖するように構成されている。閉塞栓部３０の外周面には、環状溝１１に嵌り込む低突隆部３２が形成され、低突隆部３２より底部寄りの外周面に２本の小突起３３，３３が平行状に形成されている。
仮止め栓部３１は、キャップ３の閉塞栓部３０の反対側に開口し、外筒２の開口端部２０を外嵌可能な短円筒状に形成されている。仮止め栓部３１は、複数のリブ２３の外面を圧接状として外筒２の開口端部２０を挿入及び抜取り可能に構成されている。
【００１５】
上述した本発明の採尿用容器の使用方法（作用）について説明する。
本発明の採尿用容器は、図１に示す未使用組付状態から、容器本体１から外筒２を離脱させて、その外筒２を天地逆としてキャップ３（の仮止め栓部３１）に差し込むことによって、図３に示すような採尿用組付状態に切換える。
【００１６】
図５に示すように、採尿用組付状態で、外筒２を手Ｍで把持して、自分の放尿Ｈの位置に、採尿窓５が対応するように保ちつつ、容器本体１に尿を掛けることで、採尿窓５から容器本体１内へ尿を貯める。この際、複数の採尿窓５の内の開口面積が最も大きい主採尿窓６を、正確に、放尿Ｈされてくる手前方向へ向ければ尿を最も効率良く採取できるのであるが、老人や視力の弱い身体弱者が、主採尿窓６が容器本体１の周方向の何処の位置に在るか判りづらい場合であっても、図５のように、（主採尿窓６よりも開口面積の小さい）副採尿窓７，７からも容器本体１内に尿を採取できる。言い換えると、容器本体１に対し３６０度何れの方向から放尿Ｈしたとしても、複数の採尿窓５（主採尿窓６・副採尿窓７，７）の何れかから尿を簡単に採取できる。また、容器本体１は、副採尿窓７，７の設けられた背面側に向けて放尿Ｈしても、内部に尿を採取でき、尿が飛び散るのを抑えることができ、トイレ（便器）を飛び散った尿で汚すことも防止できる。
【００１７】
その後、キャップ３から外筒２を取外し、外筒２を再び天地逆として、外筒２に容器本体１を挿入して、密封状２重筒構造とし、病院や検査センタ等へ（例えば）郵送して、そのまま尿検査容器として使用（兼用）される。
【００１８】
次に、本発明の他の実施形態について説明する。
図６と図７では、複数の採尿窓５は、容器本体１の周方向に等ピッチにて配設され、かつ、略同一形状に設定されている。なお、複数の採尿窓５は、全てがアキシャル方向に縦長状であって、その周方向幅寸法Ｗが相互に等しく、各採尿窓５の周方向幅寸法Ｗが尿検査紙の幅寸法よりも大に設定されている。一般的な尿検査紙は５ｍｍ幅であるため、各採尿窓５の周方向幅寸法Ｗは、５ｍｍより大きく設定される。
【００１９】
図８に示すように、複数の採尿窓５の一部乃至全部が、周方向に沿った補強用ブリッジ８を有しているも好ましい。補強用ブリッジ８は、各採尿窓５の長手方向中央部に設けられている。
容器本体１は、縦長形状の採尿窓５が、周方向に複数形成されたことで、採尿窓５，５間の連結部１５の強度が不足して、プラスチック成形の後の型抜きの際、細長の連結部１５が折れ曲がって、容器本体１が変形してしまう場合も考えられる。そして、採尿窓５に補強用ブリッジ８を設けることで、隣り合う連結部１５，１５の長手方向中間部どうしが周方向に橋渡しされて、型抜きの際の容器本体１（連結部１５）の変形を防止できる利点がある。なお、採尿の際、ブリッジ８や連結部１５に放尿Ｈが当たっても尿が飛び散らないように構成されている。ブリッジ８や連結部１５の幅が狭小であり、放尿Ｈがブリッジ８又は連結部１５に当たっても、ブリッジ８・連結部１５の面積が小さいため、尿がブリッジ８又は連結部１５にまとわりつくように容器本体１内に入るので、尿が飛び散ってトイレを汚すことがない。
【００２０】
未使用組付状態で容器本体１に外嵌されていた外筒２を、一旦、取外して、図９に示すように、その外筒２を天地逆としてキャップ３に差し込むことによって、採尿用組付状態に切換わる。
採尿用組付状態で、図９に示すように、外筒２を手Ｍで把持して、自分の放尿Ｈの位置に、採尿窓５が対応するように、保ちつつ、容器本体１に尿を掛けることで、採尿窓５から容器本体１内へ尿を貯める。この際、容器本体１に対し３６０度何れの方向から放尿Ｈしたとしても、複数の採尿窓５の内の何れかから尿を採取できる。即ち、老人や視力の弱い身体弱者等が、容器本体１の周方向の何処の位置に採尿窓５が在るか判りづらい場合であっても、容器本体１に放尿Ｈを掛けさえすれば、複数の採尿窓５の内の何れかから容器本体１内に尿を簡単に採取できる。また、容器本体１は、背面側に向けて放尿Ｈしても、尿が飛び散るのを抑えることができ、トイレ（便器）を飛び散った尿で汚すことも防止できる。
【００２１】
図５、図９に示すような採尿用組付状態で、尿を採取した後、キャップ３から取外した外筒２を、再び天地逆として、容器本体１を外筒２に挿入して、図１０に示すように、密封状２重筒状態とする。
図１０に示すように、容器本体１の開口端部１０がキャップ３の閉塞栓部３０によって密封される。容器本体１内面の環状溝１１に、閉塞栓部３０の低突隆部３２が嵌り込んで抜止めすると共に、閉塞栓部３０の小突起３３，３３が容器本体１の内周面に圧接して密封状とし、開口端部１０から尿が洩れるのを防止する。また、外筒２の環状溝部２２に、容器本体１の低突部１４が嵌り込んで抜止めすると共に、容器本体１の外周面に設けた２本の小突起１２，１２が、外筒２の内周面に圧接し、採尿窓５から開口端部２０側への尿の洩れを防止し、かつ、２本の小凸部１３，１３が、外筒２の内周面に圧接して、採尿窓５から外筒２の底部側へ尿が洩れるのを防止する。容器本体１の外周面には小突起１２，１２及び小凸部１３，１３が突設され、外筒２は、内周面に突出部を有していない。このように構成することで、容器本体１と外筒２が軸心方向に相対的な位置ずれを起こしたとしても密封性が常に維持できる利点がある。また、容器本体１と外筒２の隙間ｇが狭小となり、採尿窓５から容器本体１と外筒２の狭小な隙間ｇに洩れる尿の量が減少する。
【００２２】
図１１に示す比較例のように、容器本体１の外周面に低台形状突起４６，４７を設け、かつ、外筒２の内周面にも低台形状突起４８，４９を設けると、２点鎖線で示すように、互いに対応すべき容器本体１側の突起４６と外筒２側の突起４８、及び、容器本体１側の突起４７と外筒２側の突起４９は、相対的な軸心方向位置がずれることがあり、軸心方向の位置ずれによって、尿が採尿窓５から容器本体１と外筒２の隙間Ｇを伝って図１１の矢印Ｙのように外筒２の底部側へ洩れる虞れがある。また、容器本体１の外周面と外筒２の内周面の双方に突起４６，４７，４８，４９を設けたことで、容器本体１と外筒２の隙間Ｇが大きくなる問題が生じ、採尿窓５から洩れて外筒２の底部に貯まる尿の量が増大する。これに伴って、検査に使用される容器本体１内の尿の量が減少し、精度の高い尿検査が行なえない等の問題がある。
改めて本発明の実施例（図１０）と比較例（図１１）とを対比すれば、次のことが明らかとなる。（ｉ）本発明（実施例）では、２本の小突起１２，１２あるいは２本の小凸部１３，１３を密封用として有すると共に、それが圧接する外筒２の内面は平滑状であるために、軸心方向に容器本体１と外筒２が位置ずれしても、常に安定した密封性能を発揮する。（ii）本発明（実施例）では、２本の小突起１２，１２及び２本の小凸部１３，１３の高さが小さくて済み、これに伴って隙間ｇが小さくできて、仮に、尿が、外筒２の底部側（下方）へ洩れ出たとしても、その全量は少なくて済む。例えば、比較例では、その全量は０．６ｍｌであるのに対し、本発明（実施例）では、０．２ｍｌと著しく低減できる。なお、外筒２の底部側（下方）への洩れ量が０．２ｍｌと非常に微量なので、所望により、前記小凸部１３，１３を省略して、その止水を省略できる場合がある。
【００２３】
図１２は、本発明のさらに別の実施形態を示している。
図１２に示すように、一端開口状の細長円筒状に形成された容器本体（内筒）１と、容器本体１が抜取り自在に挿入される外筒２と、容器本体１の開口端部１０に着脱自在に取着されるキャップ３とを、備え、容器本体１は、開口端部１０にフランジ部（外鍔部）２５が形成されている。フランジ部２５は、外筒２のリブ２３よりラジアル外方へ突出状に形成されている。
それ以外の構成は、図１〜図１０に基づいて既述の実施形態と同様である。つまり、重複説明となるが、容器本体１の長手方向の中間領域には、採尿窓５が周方向に複数配設されている。複数の採尿窓５は、全てがアキシャル方向に縦長形状である。採尿窓５は、複数の内の１個を（開口面積の最も大きい）主採尿窓６とし、残りを主採尿窓６より開口面積の小さい副採尿窓７として形成されている。なお、複数の採尿窓５は、容器本体１の周方向に等ピッチにて配設され、かつ、略同一形状に設定されていても良い。複数の採尿窓５の少なくとも１個は、その周方向幅寸法Ｗが、尿検査紙の幅寸法（一般的に５ｍｍ幅）よりも大に設定されている。
【００２４】
容器本体１の開口端部１０にキャップ３の閉塞栓部３０を圧接挿入及び抜取り可能とし、キャップ３が容器本体１に取着された状態で、閉塞栓部３０が開口端部１０を密封状に閉鎖するように構成されている。閉塞栓部３０の基端部には、容器本体１の開口端部１０に当接して閉塞栓部３０の過大深さへの挿入を規制するストッパ段部２６が形成されている。
容器本体１及び外筒２のプラスチック成形に於ける寸法精度のバラツキによって、容器本体１の外周面の小突起１２，１２と外筒２の内周面の嵌合（圧接）が強くなることがあり、図２のように容器本体１にフランジ部が設けられていない場合には、キャップ３の閉塞栓部３０と容器本体１の嵌合よりも容器本体１と外筒２の嵌合が強いと、キャップ３を手指で掴んで容器本体１から外筒２を離脱させる際、閉塞栓部３０が開口端部１０から不意に抜けてしまいキャップ３が外れてしまう虞れがある。一方、図１２では、容器本体１と外筒２の嵌合が強くなった場合であっても、外筒２に挿入されている容器本体１を抜取る際、フランジ部２５を指で引抜くことで、容易かつ確実に容器本体１を引き出すことが可能となる。
【００２５】
病院や検査センタ等へ送られた採尿用容器は、そのまま尿検査容器として使用される。
図１３に示すように、尿検査容器（採尿用容器）は、キャップ３を取着した状態で、ラック５０に垂直状に保持され、平面的に見て、多数本が列状に並べられる。
一般的に、手作業で行う尿検査方法（用手法）では、尿検査容器からキャップ３を取外し、次に、開口端部から尿検査紙を挿入して、尿検査紙を尿に浸漬し、尿検査紙を目視、あるいは、尿検査紙を手動検査機に投入して分析する。または、外筒２から容器本体１を引出し、採尿窓５から尿検査紙を挿入して、尿検査紙を尿に浸漬し、尿検査紙を目視、あるいは、尿検査紙を手動検査機に投入して分析する。
しかし、多数本の尿検査容器からキャップ３を取り外したり、容器本体１を引き出したりする作業は、非常に手間が掛かり効率が悪かった。また、尿検査技師が、多数本の尿検査容器からキャップ３を取り外すことで、指が痛くなってしまうという問題があった。
病院や検査センタ等で行われる尿検査には、ラック５０に保持させた多数本の尿検査容器（採尿用容器）を自動搬送しつつ、吸引細管１６を容器本体１に順次挿入して尿を吸引し、機器内の検査器に尿を滴下する自動（全自動）尿検査機が使用される。自動（全自動）尿検査機を用いて行われる尿検査の際、多数本の尿検査容器のキャップ３を取り外す作業は、時間が掛かり、作業の能率を低下させていた。
【００２６】
図２に示すように、キャップ３は、閉塞栓部３０の底壁部が、薄膜部４で形成されている。薄膜部４は、尿と接触する面（下面）側からスリット１７が設けられている。図１５と図１６に示すように、スリット１７は、横断面台形状のハーフカット溝状であり、奥底部に薄肉の膜部が残留している。
図１４及び図１５に示すように、薄膜部４のスリット１７は、十文字状に形成されている。この十文字状のスリット１７の交差部には、さらに肉の薄い極薄肉膜部１８が設けられている。薄膜部４の上面（尿と接触しない面）には、十文字状のスリット１７と重ならないように、折曲げ用の凹溝部１９が複数設けられている。凹溝部１９は、薄膜部４の中心から見てラジアル方向の直線に直交状に配設されている。
【００２７】
キャップ３は、低密度ポリエチレン（ＬＤＰＥ）で形成するのが好ましい。
図１６に示すように、薄膜部４は、スリット１７の設けられていない箇所の厚さ寸法ｔ０が０．５０ｍｍ〜０．７０ｍｍに設定され、スリット１７の奥底部の厚さ寸法ｔ１が０．２５ｍｍ〜０．３５ｍｍに設定されている。図１７に示すように、スリット１７の交差部に設けられた極薄肉膜部１８では、厚さ寸法ｔ２が０．１５ｍｍ〜０．２５ｍｍに設定されている。図１９に示すように、凹溝部１９は、奥底部の厚さ寸法ｔ３が０．２５ｍｍ〜０．３５ｍｍに設定されている。
なお、図１８に示すように、スリット１７は、横断面Ｖ字状のハーフカット溝であって良く、その奥底部の厚さ寸法ｔ１が０．２ｍｍ〜０．４ｍｍに設定される。横断面Ｖ字状のスリット１７は、交差部に向けて次第に溝の深さが深くなる（奥底部の厚さが減少する）ように形成するのが好ましい。
【００２８】
図１３及び図２０に示すように、自動（全自動）尿検査機の吸引細管１６が、矢印Ｚのように降下して、上方から閉塞栓部３０の薄膜部４を押圧すると、薄膜部４がスリット１７に沿って容易に破断するように構成されている。即ち、キャップ３を低密度ポリエチレン（ＬＤＰＥ）で形成し、閉塞栓部３０の薄膜部４にスリット１７を設けたことで、薄膜部４の破断強度は著しく低くなる。しかも、スリット１７の交差部に極薄肉膜部１８を設けているため、吸引細管１６の押圧によって、直ちに極薄肉膜部１８に亀裂が発生し、これを起点としてスリット１７に裂け目が伝播して、破断の際に吸引細管１６に掛かる負荷が低減される。また、図２１に示すように、スリット１７が破断した際、薄膜部４が凹溝部１９に沿って折れ曲がることで、吸引細管１６が容易に薄膜部４を突き抜ける。これにより、尿検査の際、尿検査容器のキャップ３を取り外すことなく、吸引細管１６が閉塞栓部３０の底壁部（薄膜部４）を、小さな押圧力にて、容易に突き破って、容器本体１内の尿を吸引することが可能となり、自動尿検査をスムーズかつ効率的に行うことを可能とし、また、キャップ３を取り外す、人の手による作業を省略できる。
【００２９】
図２に示すように、キャップ３の中間部には、閉塞栓部３０の基端部に外鍔部３４が突設されると共に、仮止め栓部３１の基端部には段付部３５が形成されている。この外鍔部３４と段付部３５と外鍔部３４・段付部３５間の外周面によって、開栓治具用溝９が形成されている。
尿検査の際、上述したような自動（全自動）尿検査機を用いずに、１列に並べられた複数個の尿検査容器の全てのキャップ３を同時に離脱させる開栓治具を使用することもある。この開栓治具は、図示省略するが、例えば、一定の長さ寸法を有する底尺部材の下面に蟻溝を凹設した構造となっている。開栓治具を使用する際、底尺部材を複数個の尿検査容器の列に沿ってスライドさせ、全てのキャップ３の開栓治具用溝９に蟻溝を係止させて、底尺部材に回転力を付与することで、全てのキャップ３を一挙に横転（横倒し）させて尿検査容器から取り外す。つまり、キャップ３に開栓治具用溝９を設けたことにより、開栓治具の使用が可能となり、複数個の尿検査容器からキャップ３を取り外す作業を、迅速かつ容易に行うことができ、作業能率を向上できる利点がある。
【００３０】
図１２では、キャップ３の外鍔部が省略されて、キャップ３が容器本体１に取着された状態で、容器本体１に設けられたフランジ部２５と、キャップ３のストッパ段部２６・段付部３５間の外周面と、キャップ３の段付部３５によって、開栓治具用溝９が形成されている。
【００３１】
なお、本発明は、設計変更可能であって、例えば、容器本体１の採尿窓５の数は、図例のような３個に限定されることなく、２個としたり、４個以上とすることもできる。また、十文字状のスリット１７は、Ｙ字状としたり、逆に、５本以上の放射線状としても良い。
【００３２】
以上のように、本発明に係る採尿用容器は、長手方向の中間領域に採尿窓５が開設されると共に一端開口状の筒状の容器本体１と、上記容器本体１が抜取り自在に挿入される外筒２と、上記容器本体１の開口端部１０に着脱自在に取着されて上記開口端部１０を密封するキャップ３とを、備えた採尿用容器に於て、上記容器本体１の上記採尿窓５は、周方向に複数配設されているので、患者等が自分で簡単かつ確実に尿を採取できる。また、採尿窓５の周方向の位置が判りづらい身体弱者等であっても、容易かつ迅速に、尿を採取できる。また、採尿の際、トイレ（便器）を、飛び散った尿で汚すことも防止できる。しかも、容器本体１を、キャビティと（細杆状の）コアにて射出成形する際、複数個の採尿窓５を形成する小突起をキャビティ内面に配設することによって、上記コアがキャビティ軸心に対して偏心しないようにサポートできて、成形品としての容器本体１が、偏肉の無い高品質のものとなり、生産性も向上することができる。外筒２が偏肉や反りを生じた場合であっても、容器本体１に採尿窓５が周方向に複数開設されたために、容器本体１が柔軟に曲がることができ、スムーズな挿入・抜き取りができ、また、容器本体１・外筒２間の極小の隙間設計も可能となる。
【００３３】
また、複数の上記採尿窓５は、全て縦長形状であると共に、その内の１個は開口面積が最も大きい主採尿窓６であると共に、残りは上記主採尿窓６よりも開口面積の小さい副採尿窓７であるので、容器本体１に対し３６０度何れの方向から放尿Ｈしたとしても、主採尿窓６・副採尿窓７，７の何れかから尿を簡単に採取できる。複数の採尿窓５の内で開口面積が最も大きい主採尿窓６を、正確に、放尿Ｈされてくる手前方向へ向ければ尿を最も効率良く採取でき、例えば、老人や視力の弱い身体弱者等が、主採尿窓６が容器本体１の周方向の何処の位置に在るか判りづらい場合であっても、主採尿窓６よりも開口面積の小さい副採尿窓７，７からも容器本体１内に尿を採取できる。
【００３４】
また、複数の上記採尿窓５は、周方向に等ピッチにて配設され、かつ、略同一形状に設定されているので、容器本体１に対し３６０度何れの方向から放尿Ｈしたとしても、複数の採尿窓５の内の何れかから尿を採取できる。例えば、老人や視力の弱い身体弱者等が、容器本体１の周方向の何処の位置に採尿窓５が在るか判りづらい場合であっても、容器本体１に放尿Ｈを掛けさえすれば、複数の採尿窓５の内の何れかから容器本体１内に尿を簡単に採取できる。
【００３５】
また、複数の上記採尿窓５の一部乃至全部が、周方向に沿った補強用ブリッジ８を有しているので、型抜きの際、容器本体１の変形を防止できる。
【００３６】
また、複数の上記採尿窓５の少なくとも１個は、その周方向幅寸法Ｗが、尿検査紙の幅寸法よりも大に設定されているので、尿検査紙をスムーズに差し込めて、検査技師の手作業による尿検査の作業能率を向上できる。
【符号の説明】
【００３７】
１  容器本体
２  外筒
３  キャップ
５  採尿窓
６  主採尿窓
７  副採尿窓
８  補強用ブリッジ
１０  開口端部
Ｗ  周方向幅寸法
【図１】
2018128292.tif 000003
【図２】
2018128292.tif 000004
【図３】
2018128292.tif 000005
【図４】
2018128292.tif 000006
【図５】
2018128292.tif 000007
【図６】
2018128292.tif 000008
【図７】
2018128292.tif 000009
【図８】
2018128292.tif 000010
【図９】
2018128292.tif 000011
【図１０】
2018128292.tif 000012
【図１１】
2018128292.tif 000013
【図１２】
2018128292.tif 000014
【図１３】
2018128292.tif 000015
【図１４】
2018128292.tif 000016
【図１５】
2018128292.tif 000017
【図１６】
2018128292.tif 000018
【図１７】
2018128292.tif 000019
【図１８】
2018128292.tif 000020
【図１９】
2018128292.tif 000021
【図２０】
2018128292.tif 000022
【図２１】
2018128292.tif 000023
【図２２】
2018128292.tif 000024